(57)【要約】【課題】エレベータの膨大な部品群の管理や必要な部品を探す作業者の手間を省力化できるエレベータ部品検索システムを提供することである。【解決手段】エレベータ部品検索システムは、管理サーバおよび端末装置を通信可能に接続している。管理サーバは、端末装置から送信される検索要求に基づいて、製番部品情報に示された部品に対応する部品保管情報を検索し、製番部品情報に示された部品が保管エリア内に保管されていない場合は、当該部品に対応する加工実績情報を検索し、検索された部品保管情報を端末装置へ送信する。端末装置は、部品保管情報に基づいて、部品が保管エリア内に保管されているか否かを示す情報を表示部に表示させ、部品が保管エリア内に保管されていない場合は、加工実績情報に基づいて、当該部品が加工されているか否かを示す情報を表示部に表示させる。【選択図】図２
2013060249.tif 000002
【特許請求の範囲】
【請求項１】
制御部と記憶部とを少なくとも備えた管理サーバ、および、制御部と表示部とを少なくとも備えた端末装置、を通信可能に接続したエレベータ部品検索システムであって、
上記記憶部は、
エレベータを構成するユニットを特定する製番に必要な複数の部品を示す製番部品情報を記憶する製番部品情報記憶手段と、
保管エリア内の上記部品の保管状況を示す部品保管情報を記憶する部品保管情報記憶手段と、
上記部品の加工状況を示す加工実績情報を記憶する加工実績情報記憶手段と、
を備え、
上記管理サーバの上記制御部は、
上記端末装置から送信される検索要求に基づいて、上記製番部品情報記憶手段に記憶された上記製番部品情報に示された上記部品に対応する上記部品保管情報を、上記部品保管情報記憶手段から検索し、上記製番部品情報に示された上記部品が上記保管エリア内に保管されていない場合は、当該部品に対応する上記加工実績情報を上記加工実績情報記憶手段から検索する情報検索手段と、
上記情報検索手段により検索された上記部品保管情報および上記加工実績情報を上記端末装置へ送信する情報提供手段と、
を備え、
上記端末装置の上記制御部は、
上記情報提供手段により上記管理サーバから送信される上記部品保管情報に基づいて、上記部品が上記保管エリア内に保管されているか否かを示す情報を上記表示部に表示させ、上記部品が上記保管エリア内に保管されていない場合は、上記管理サーバから送信される上記加工実績情報に基づいて、当該部品が加工されているか否かを示す情報を上記表示部に表示させる情報表示手段、
を備えたことを特徴とするエレベータ部品検索システム。
【請求項２】
上記情報表示手段は、
上記部品保管情報に基づいて生成される、上記部品が上記保管エリア内に保管されているか否かを示す保管エリア画面を上記表示部に表示させ、上記部品が上記保管エリア内に保管されていない場合は、上記加工実績情報に基づいて生成される、当該部品が加工されているか否かを更に示す上記保管エリア画面を上記表示部に表示させることを特徴とする請求項１に記載のエレベータ部品検索システム。
【請求項３】
上記製番部品情報記憶手段は、
上記部品の形状を示すデジタルモックアップ情報を更に含み、
上記情報検索手段は、更に、
上記製番部品情報記憶手段に記憶された上記製番部品情報に示された上記部品に対応する上記デジタルモックアップ情報を、上記製番部品情報記憶手段から検索し、
上記情報提供手段は、更に、
上記情報検索手段により検索された上記デジタルモックアップ情報を上記端末装置へ送信し、
上記情報表示手段は、
上記情報提供手段により上記管理サーバから送信される上記デジタルモックアップ情報を更に含む上記保管エリア画面を上記表示部に表示させることを特徴とする請求項２に記載のエレベータ部品検索システム。
【請求項４】
上記端末装置は、識別情報読取手段を更に備え、
上記部品および上記保管エリアは、上記識別情報読取手段により読取可能な識別情報で対応付けられており、
上記情報検索手段は、
上記端末装置から送信される上記識別情報を含む上記検索要求に基づいて、上記製番部品情報記憶手段に記憶された上記製番部品情報に示された上記部品に対応する上記部品保管情報を、上記部品保管情報記憶手段から検索することを特徴とする請求項１から３のうちいずれか１項に記載のエレベータ部品検索システム。
【発明の詳細な説明】
【技術分野】
【０００１】
本発明の実施形態は、エレベータ部品検索システムに関する。
【背景技術】
【０００２】
エレベータは、膨大の部品から構成されるユニットが組立てられて構成されている。そのため、従来、エレベータのユニットを組立てる作業者は、膨大な部品群から必要な部品を集める作業を行っていた。そこで、近年、これらの膨大な部品群の管理や必要な部品を探す作業者の手間を省力化する技術が求められていた。
【先行技術文献】
【特許文献】
【０００３】
【特許文献１】特開２００１−１３８１５０号公報
【発明の概要】
【発明が解決しようとする課題】
【０００４】
ここで、エレベータは、導入される物件の仕様に応じて、形状、寸法、色等が著しく異なるという特徴がある。そのため、エレベータの製造業者は、種々の物件の仕様に応じてエレベータを構成するユニットを受注生産しており、当該ユニットに必要な部品を加工する必要がある。しかしながら、従来技術においては、エレベータについて、膨大な部品群の管理や必要な部品を探す作業者の手間を省力化できないという問題点を有していた。
【０００５】
本発明が解決しようとする課題は、エレベータの膨大な部品群の管理や必要な部品を探す作業者の手間を省力化できるエレベータ部品検索システムを提供することである。
【課題を解決するための手段】
【０００６】
実施形態のエレベータ部品検索システムは、制御部と記憶部とを少なくとも備えた管理サーバ、および、制御部と表示部とを少なくとも備えた端末装置、を通信可能に接続したエレベータ部品検索システムである。上記記憶部は、エレベータを構成するユニットを特定する製番に必要な複数の部品を示す製番部品情報を記憶する製番部品情報記憶手段と、保管エリア内の上記部品の保管状況を示す部品保管情報を記憶する部品保管情報記憶手段と、上記部品の加工状況を示す加工実績情報を記憶する加工実績情報記憶手段と、を備える。上記管理サーバの上記制御部は、上記端末装置から送信される検索要求に基づいて、上記製番部品情報記憶手段に記憶された上記製番部品情報に示された上記部品に対応する上記部品保管情報を、上記部品保管情報記憶手段から検索し、上記製番部品情報に示された上記部品が上記保管エリア内に保管されていない場合は、当該部品に対応する上記加工実績情報を上記加工実績情報記憶手段から検索する情報検索手段と、上記情報検索手段により検索された上記部品保管情報および上記加工実績情報を上記端末装置へ送信する情報提供手段と、を備える。上記端末装置の上記制御部は、上記情報提供手段により上記管理サーバから送信される上記部品保管情報に基づいて、上記部品が上記保管エリア内に保管されているか否かを示す情報を上記表示部に表示させ、上記部品が上記保管エリア内に保管されていない場合は、上記管理サーバから送信される上記加工実績情報に基づいて、当該部品が加工されているか否かを示す情報を上記表示部に表示させる情報表示手段、を備える。
【図面の簡単な説明】
【０００７】
【図１】実施形態にかかるエレベータ部品検索システムの概略構成の一例を示す概念図。
【図２】実施形態にかかるエレベータ部品検索システムの構成の一例を示すブロック図。
【図３】実施形態にかかるエレベータ部品検索システムにより実行される処理の一例を示すフローチャート。
【図４】実施形態にかかる作業待ち製番リストの一例を示す図。
【図５】実施形態にかかる保管エリア画面の一例を示す図。
【図６】実施形態にかかる保管エリア画面の別の一例を示す図。
【発明を実施するための形態】
【０００８】
以下に、本発明にかかるエレベータ部品検索システムの実施の形態を図面に基づいて詳細に説明する。なお、この実施の形態によりこの発明が限定されるものではない。
【０００９】
以下、本発明の実施形態（エレベータ部品検索システム）について、図１乃至図６を参照して以下に説明する。但し、以下に示す実施形態は、本発明の技術思想を具体化するためのエレベータ部品検索システムを例示するものであって、本発明をこのエレベータ部品検索システムに特定することを意図するものではなく、特許請求の範囲に含まれるその他の実施形態のエレベータ部品検索システムにも等しく適用し得るものである。例えば、実施形態で例示するエレベータ部品検索システムにおけるサーバ側と端末側の機能分散の形態は以下に限られず、同様の効果や機能を奏し得る範囲において、任意の単位で機能的または物理的に分散・統合して構成することができる。
【００１０】
［エレベータ部品検索システムの構成］
実施形態におけるエレベータ部品検索システムの構成の一例について、図１および図２を参照して以下に説明する。ここで、図１は、第１の実施形態におけるエレベータ部品検索システムの概略構成の一例を示す概念図である。また、図２は、実施形態におけるエレベータ部品検索システムの構成の一例を示すブロック図であり、該構成のうち本発明に関係する部分を概念的に示している。なお、本実施形態においては、通信型の検索処理を行うエレベータ部品検索システムを具体例として説明するが、本発明はこれに限ることなく、必要なデータを集約したスタンドアローン型に構成され単独で検索処理を行うスタンドアローンタイプのエレベータ部品検索システムなどにも適用可能である。
【００１１】
図１に示すように、実施形態のエレベータ部品検索システムは、概略的に、エレベータの部品に関する情報を管理し提供する管理サーバ２００、および、エレベータに関する情報を検索し出力する単数または複数の端末装置１００−１〜２、を通信可能に接続して構成される。本実施形態において、例えば、端末装置１００−１は、エレベータの部品の組立工場内の加工設備（板金設備）の周辺にあってもよく、端末装置１００−２は、組立工場内の保管エリア（例えば、部品保管棚）の周辺にあってもよい。ここで、図１に示すように、通信には、一例として、ネットワーク３００を介した有線・無線通信等の遠隔通信等を含む。また、これらエレベータ部品検索システムの各部は任意の通信路を介して通信可能に接続されている。
【００１２】
そして、図２に示すように、実施形態のエレベータ部品検索システムにおいて、管理サーバ２００は、概略的に、制御部２０２と記憶部２０６とを少なくとも備えている。また、端末装置１００は、位置取得部１１２と出力部（表示部１１４および音声出力部１１６）と入力部１１８と識別情報読取部１１９と制御部１０２と記憶部１０６とを少なくとも備える。
【００１３】
［管理サーバ２００の構成］
ここで、図２において、管理サーバ２００は、端末装置１００から送信される検索要求に応じたエレベータの部品に関する情報を端末装置１００へ送信する等の機能を有する。管理サーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、管理サーバ２００とネットワーク３００との間における通信制御を行う機能を有する。すなわち、通信制御インターフェース部２０４は、端末装置１００等と通信回線を介してデータを通信する機能を有している。
【００１４】
図２において、記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（例えば、製番部品情報データベース２０６ａ、部品保管情報データベース２０６ｂ、および、加工実績情報データベース２０６ｃ等）を格納する。
【００１５】
これら記憶部２０６の各構成要素のうち、製番部品情報データベース２０６ａは、エレベータを構成するユニットを特定する製番に必要なエレベータの複数の部品を示す製番部品情報を記憶する製番部品情報記憶手段である。製番は、エレベータの製造業者によってエレベータを構成するユニットの受注があった際に決定される。物件は、マンション、アパート、ビル等の建物である。製番部品情報データベース２０６ａに記憶される製番部品情報は、製番に必要なエレベータの部品のリストを示すデータである。本実施形態において、製番部品情報は、エレベータの設計手配がなされた際に製番部品情報データベース２０６ａに登録されるものとする。ここで、製番部品情報データベース２０６ａは、製番に必要なエレベータの部品の形状を示すデジタルモックアップ情報を更に含んでいてもよい。デジタルモックアップ情報は、エレベータの部品を設計する際にモデリングされた３次元形状を示すデータから、当該部品の特徴的な部分を表すよう編集された３次元形状を示すデータである。
【００１６】
また、部品保管情報データベース２０６ｂは、保管エリア内の製番に必要なエレベータの部品の保管状況を示す部品保管情報を記憶する部品保管情報記憶手段である。保管エリアは、エレベータの部品の組立工場内に設置される部品保管棚等である。部品保管情報データベース２０６ｂに記憶される部品保管情報は、部品が保管エリアの所定の位置に保管されているか否かを示すデータである。本実施形態において、部品は、組立工場内の加工設備にて加工された部品（例えば、板金等）であってもよく、加工の必要のない既存製品（例えば、ボルト等）であってもよい。ここで、部品保管情報は、保管エリアの所定の位置に保管されている部品の数量または保管率を示すデータを含んでいてもよい。本実施形態において、部品保管情報は、エレベータの部品が保管エリアに保管された際に、部品保管情報データベース２０６ｂに登録され随時更新されるものとする。
【００１７】
また、加工実績情報データベース２０６ｃは、製番に必要なエレベータの部品の加工状況を示す加工実績情報を記憶する加工実績情報記憶手段である。加工実績情報データベース２０６ｃに記憶される加工実績情報は、エレベータが導入される物件の仕様に適合するよう加工設備にて加工されるべき部品（板金等）が、組立工場内の加工設備にて加工されたか否かを示すデータである。ここで、加工実績情報は、部品の加工完了予定日時等を示すデータを含んでいてもよい。本実施形態において、加工実績情報は、加工設備にて加工が完了した際、または、加工を開始した際に、加工実績情報データベース２０６ｃに登録され随時更新されるものとする。
【００１８】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、情報検索部２０２ａ、情報提供部２０２ｂ、および、情報格納部２０２ｃを備える。
【００１９】
このうち、情報検索部２０２ａは、端末装置１００から送信される検索要求に基づいて、製番部品情報データベース２０６ａに記憶された製番部品情報に示された部品に対応する部品保管情報を、部品保管情報データベース２０６ｂから検索し、製番部品情報に示された部品が保管エリア内に保管されていない場合は、当該部品に対応する加工実績情報を加工実績情報データベース２０６ｃから検索する情報検索手段である。ここで、情報検索部２０２ａは、更に、製番部品情報データベース２０６ａに記憶された製番部品情報に示された部品に対応するデジタルモックアップ情報を、製番部品情報データベース２０６ａから検索してもよい。また、情報検索部２０２ａは、端末装置１００から送信される識別情報を含む検索要求に基づいて、製番部品情報データベース２０６ａに記憶された製番部品情報に示された部品に対応する部品保管情報を、部品保管情報データベース２０６ｂから検索してもよい。
【００２０】
情報提供部２０２ｂは、情報検索部２０２ａにより検索された部品保管情報および加工実績情報を端末装置１００へ送信する情報提供手段である。ここで、情報提供部２０２ｂは、更に、情報検索部２０２ａにより検索されたデジタルモックアップ情報を端末装置１００へ送信してもよい。
【００２１】
また、情報格納部２０２ｃは、エレベータの設計手配がなされた際に、製番部品情報データベース２０６ａに製番部品情報を格納する情報格納手段である。例えば、情報格納部２０２ｃは、利用者により端末装置１００の入力部１１８を介して入力された製番部品情報を、ネットワーク３００を通じて受信して、製番部品情報データベース２０６ａに格納してもよい。
【００２２】
また、情報格納部２０２ｃは、エレベータの部品が保管エリアに保管された際に、部品保管情報データベース２０６ｂに部品保管情報を格納する。ここで、部品は、組立工場内の加工設備にて加工された部品（例えば、板金等）であってもよく、加工の必要のない既存製品（例えば、ボルト等）であってもよい。例えば、情報格納部２０２ｃは、利用者により端末装置１００の入力部１１８を介して入力された部品保管情報を、ネットワーク３００を通じて受信して、部品保管情報データベース２０６ｂに格納してもよい。また、情報格納部２０２ｃは、保管エリアに設置された保管エリア内の部品の保管状況を監視する監視手段から送信された部品保管情報を、ネットワーク３００を通じて受信して、部品保管情報データベース２０６ｂに格納してもよい。
【００２３】
また、情報格納部２０２ｃは、エレベータが導入される物件の仕様に適合するよう加工設備にて加工されるべき部品（板金等）の加工が完了した際、または、加工を開始した際に、加工実績情報データベース２０６ｃに加工実績情報を格納する。例えば、情報格納部２０２ｃは、利用者により端末装置１００の入力部１１８を介して入力された加工実績情報を、ネットワーク３００を通じて受信して、加工実績情報データベース２０６ｃに格納してもよい。また、情報格納部２０２ｃは、加工設備に設置された部品の加工状況を監視する監視手段から送信された加工実績情報を、ネットワーク３００を通じて受信して、加工実績情報データベース２０６ｃに格納してもよい。
【００２４】
［端末装置１００の構成］
また、図２において、端末装置１００は、検索要求を管理サーバ２００へ送信し、管理サーバ２００から送信される検索要求に応じた情報を受信し、受信された情報を、出力部を介して出力する等の機能を有する。
【００２５】
ここで、端末装置１００は、例えば、一般に市販されるノート型のパーソナルコンピュータ等の情報処理装置、ならびに、タブレット型端末、電子ペーパー型端末、携帯電話、スマートフォン、ＰＨＳ、およびＰＤＡ等の携帯端末装置等である。ここで、端末装置１００は、インターネットブラウザ等を搭載していてもよく、検索アプリケーション等を搭載していてもよい。また、端末装置１００は、表示部１１４と音声出力部１１６とを少なくとも含む出力部を備える。また、端末装置１００は、データ入力等を行う入力部１１８を備える。また、端末装置１００は、ＩＣタグやＱＲコード等の識別情報を読取可能な識別情報読取部１１９を備える。また、端末装置１００は、リアルタイムに現在位置測位が行えるよう、ＧＰＳ機能やＩＭＥＳ機能等を有する位置取得部１１２を備えていてもよい。なお、図示しないが、端末装置１００は、静止画および動画を撮影可能なカメラ等の撮影部を備えていてもよい。
【００２６】
ここで、表示部１１４は、検索アプリケーション等の表示画面を表示する表示手段（例えば、液晶または有機ＥＬ等から構成されるディスプレイおよびモニタ等）であってもよい。本実施形態において、表示部１１４は、保管エリア画面を表示する表示手段として機能する。また、音声出力部１１６は、音声情報を音声として出力する音声出力手段（例えば、スピーカ等）であってもよい。また、入力部１１８は、例えば、キー入力部、タッチパネル、キーボード、およびマイク等であってもよい。また、識別情報読取部１１９は、識別情報を読取可能なＩＣタグリーダ等であってもよい。識別情報は、ＩＣタグの他、レーザーマーキングされたＱＲコード等であってもよい。識別情報は、部品と当該部品を保管する保管エリアとを対応付けている。また、入出力制御インターフェース部１０８は、位置取得部１１２、表示部１１４、音声出力部１１６、入力部１１８、識別情報読取部１１９、および、撮影部（図示せず）等の制御を行う。
【００２７】
ここで、位置取得部１１２は、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話およびＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。本実施形態において、位置取得部１１２は、端末装置１００の利用者の現在位置を特定するために使用される。
【００２８】
また、位置発信装置５００は、屋外で受信したＧＰＳ信号を屋内で発信するＧＰＳリピータであってもよい。また、位置発信装置５００は、建物（例えば、エレベータの組立工場等）内の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００２９】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、管理サーバ２００等と通信回線を介してデータを通信する機能を有している。また、ネットワーク３００は、端末装置１００および管理サーバ２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００３０】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブルを格納してもよい。ここで、記憶部１０６は、各種のファイル等を一時的に記憶するものであってもよい。
【００３１】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、検索要求部１０２ａ、情報取得部１０２ｂ、情報表示部１０２ｃ、および、現在位置情報取得部１０２ｄを備える。
【００３２】
このうち、検索要求部１０２ａは、管理サーバ２００に記憶された各種情報に対する検索要求を送信する検索要求手段である。本実施形態において、検索要求部１０２ａは、製番部品情報データベース２０６ａに記憶された製番部品情報に示された部品に対応する部品保管情報を、部品保管情報データベース２０６ｂから検索することを要求する検索要求を、管理サーバ２００へ送信する。ここで、検索要求は、識別情報を含んでいてもよい。また、検索要求部１０２ａは、検索要求を、端末装置１００の表示部１１４に表示された作業待ち製番リスト等から利用者により入力部１１８を介して対応する製番が選択された場合に送信してもよい。本実施形態において、作業待ち製番リストは、予め利用者により管理サーバ２００の製番部品情報データベース２０６ａから取得された製番部品情報（すなわち、製番に必要なエレベータの部品のリストを示すデータ）とする。
【００３３】
また、情報取得部１０２ｂは、情報提供部２０２ｂにより管理サーバ２００から送信される、製番に必要なエレベータの部品に対応する製番部品情報、部品保管情報、加工実績情報、および、デジタルモックアップ情報のうち少なくとも１つを受信する情報取得手段である。本実施形態において、情報取得部１０２ｂは、管理サーバ２００から、製番部品情報、部品保管情報、加工実績情報、および、デジタルモックアップ情報の全部を受信してもよく、これらの製番部品情報、部品保管情報、加工実績情報、および、デジタルモックアップ情報を個別に受信してもよい。
【００３４】
また、情報表示部１０２ｃは、情報提供部２０２ｂにより管理サーバ２００から送信される部品保管情報（すなわち、情報取得部１０２ｂにより取得された部品保管情報）に基づいて、部品が保管エリア内に保管されているか否かを示す情報を表示部１１４に表示させ、部品が保管エリア内に保管されていない場合は、管理サーバ２００から送信される加工実績情報（すなわち、情報取得部１０２ｂにより取得された加工実績情報）に基づいて、当該部品が加工されているか否かを示す情報を表示部１１４に表示させる情報表示手段である。ここで、情報表示部１０２ｃは、部品保管情報に基づいて作成される、部品が保管エリア内に保管されているか否かを示す保管エリア画面を表示部１１４に表示させ、部品が保管エリア内に保管されていない場合は、加工実績情報に基づいて作成される、当該部品が加工されているか否かを更に示す保管エリア画面を表示部１１４に表示させてもよい。また、情報表示部１０２ｃは、情報提供部２０２ｂにより管理サーバ２００から送信されるデジタルモックアップ情報（すなわち、情報取得部１０２ｂにより取得されたデジタルモックアップ情報）を更に含む保管エリア画面を表示してもよい。
【００３５】
また、現在位置情報取得部１０２ｄは、端末装置１００の利用者の現在位置情報を取得する現在位置情報取得手段である。ここで、現在位置情報取得部１０２ｄは、端末装置１００の利用者の現在位置情報を所定時間（所定周期）ごと（例えば、１秒ごと、または、３分ごと等）に取得してもよい。また、現在位置情報取得部１０２ｄは、位置取得部１１２にて位置発信装置５００から受信した位置情報信号から算出した位置情報を端末装置１００の利用者の現在位置情報として取得してもよい。
【００３６】
なお、本実施形態において、部品および保管エリアは、端末装置１００が備える識別情報読取部１１９により読取可能な識別情報で対応付けられている。例えば、作業者は、予め製番部品情報データベース２０６ａに記憶された製番部品情報および部品保管情報データベース２０６ｂに記憶された部品保管情報を参照して、対象の部品と当該部品を保管する保管エリアとを対応付けた識別情報（例えば、ＩＣタグ）を生成する。この場合、保管エリアには予め保管エリア（すなわち、部品保管棚）および保管エリア内の各ブロックを特定するＩＣタグが予め貼り付けられているものとする。そして、作業者は、加工設備にて対象の部品の加工を完了した際に、当該部品にＩＣタグを貼り付けることで、部品と保管エリアとを識別情報で対応付けている。
【００３７】
また、本実施形態において、加工設備に設置された識別情報を生成する生成手段が、予め製番部品情報データベース２０６ａに記憶された製番部品情報および部品保管情報データベース２０６ｂに記憶された部品保管情報を参照して、対象の部品と当該部品を保管する保管エリアとを対応付けた識別情報（例えば、ＱＲコード）を生成してもよい。この場合、保管エリアには予め保管エリア（すなわち、部品保管棚）および保管エリア内の各ブロックを特定するＱＲコードが予めレーザーマーキングされているものとする。そして、加工設備に設置された生成手段が、加工設備にて対象の部品の加工を完了した際に、当該部品にＱＲコードをレーザーマーキングすることで、部品と保管エリアとを識別情報で対応付けてもよい。
【００３８】
［エレベータ部品検索システムの処理］
次に、このように構成された実施形態におけるエレベータ部品検索システムの処理の一例について、以下に図３乃至図６を参照して詳細に説明する。ここで、図３は、実施形態にかかるエレベータ部品検索システムにより実行される処理の一例を示すフローチャートである。
【００３９】
まず、図３に示すように、端末装置１００の検索要求部１０２ａは、管理サーバ２００に記憶された各種情報に対する検索要求を送信する（ステップＳＡ１）。具体的には、ステップＳＡ１において、検索要求部１０２ａは、管理サーバ２００の製番部品情報データベース２０６ａに記憶された製番部品情報に示された部品に対応する部品保管情報を、部品保管情報データベース２０６ｂから検索することを要求する検索要求を、管理サーバ２００へ送信する。ここで、検索要求は、識別情報を含んでいてもよい。また、ステップＳＡ１において、端末装置１００の検索要求部１０２ａは、現在位置情報取得部１０２ｄにより取得された現在位置情報を、検索要求と共に管理サーバ２００へ送信してもよい。
【００４０】
ここで、図４を参照して、実施形態にかかる作業待ち製番リストの一例について説明する。本実施形態において、エレベータの部品を組立てる作業者が作業を開始する際、端末装置１００の制御部１０２は、図４に示す作業待ち製番リスト１０を、表示部１１４に表示させるものとする。また、作業待ち製番リストは、予め作業者により管理サーバ２００の製番部品情報データベース２０６ａから取得された製番部品情報（すなわち、製番に必要なエレベータの部品のリストを示すデータ）とする。ここで、図４に示す作業待ち製番リスト１０は、各物件に対応する製番をリストしたものである。作業待ち製番リスト１０は、各物件に対応する製番Ａ〜Ｇを左欄に表示し、各物件Ａビル〜Ｇビルを右欄に表示している。本実施形態では、ステップＳＡ１において端末装置１００の制御部１０２は、作業者により端末装置１００の入力部１１８を介して所望の製番（図４において、「Ｃビル」に対応する「製番Ｃ」）が選択されると、当該選択された製番に必要なエレベータの部品に対応する部品保管情報を、品保管情報データベース２０６ｂから検索することを要求する検索要求を管理サーバ２００へ送信する。
【００４１】
再び図３に戻り、管理サーバ２００の制御部２０２は、ステップＳＡ１にて検索要求部１０２ａの処理により端末装置１００から送信された検索要求を受信する（ステップＳＡ２）。
【００４２】
そして、管理サーバ２００の情報検索部２０２ａは、ステップＳＡ２にて制御部２０２の処理により受信した検索要求に基づいて、製番部品情報データベース２０６ａに記憶された製番部品情報に示された部品に対応する部品保管情報を、部品保管情報データベース２０６ｂから検索する（ステップＳＡ３）。ここで、情報検索部２０２ａは、更に、製番部品情報データベース２０６ａに記憶された製番部品情報に示された部品に対応するデジタルモックアップ情報を、製番部品情報データベース２０６ａから検索してもよい。また、情報検索部２０２ａは、検索要求に識別情報が含まれる場合、識別情報を含む検索要求に基づいて、製番部品情報データベース２０６ａに記憶された製番部品情報に示された部品に対応する部品保管情報を、部品保管情報データベース２０６ｂから検索してもよい。また、情報検索部２０２ａは、端末装置１００の現在位置を示す現在位置情報を受信した場合、当該現在位置周辺にある保管エリアに関する部品保管情報を優先的に検索してもよい。
【００４３】
そして、管理サーバ２００の制御部２０２は、ステップＳＡ３にて情報検索部２０２ａの処理により検索された部品保管情報に基づいて、対象の部品が保管エリア内にあるか否かを判定する（ステップＳＡ４）。つまり、制御部２０２は、製番に必要なエレベータの部品が全て保管エリア内に保管されているか否かを確認する。
【００４４】
そして、管理サーバ２００の情報提供部２０２ｂは、ステップＳＡ４にて制御部２０２の処理により対象の部品が保管エリア内にあると判定した場合（ステップＳＡ４：Ｙｅｓ）、ステップＳＡ３にて情報検索部２０２ａの処理により検索された部品保管情報を端末装置１００へ送信する（ステップＳＡ５）。ここで、情報提供部２０２ｂは、ステップＳＡ３にて情報検索部２０２ａの処理によりデジタルモックアップ情報を検索した場合、当該デジタルモックアップ情報も端末装置１００へ送信してもよい。
【００４５】
一方、管理サーバ２００の情報検索部２０２ａは、ステップＳＡ４にて制御部２０２の処理により対象の部品が保管エリア内にないと判定した場合（ステップＳＡ４：Ｎｏ）、すなわち、製番部品情報に示された部品が保管エリア内に保管されていない場合、当該部品に対応する加工実績情報を、加工実績情報データベース２０６ｃから検索する（ステップＳＡ６）。つまり、情報検索部２０２ａは、保管エリア内に保管されていない製番に必要な部品がある場合は、対象の部品の加工状況を確認する。ここで、情報検索部２０２ａは、更に、対象の部品に対応するデジタルモックアップ情報を、製番部品情報データベース２０６ａから検索してもよい。
【００４６】
そして、管理サーバ２００の情報提供部２０２ｂは、ステップＳＡ６にて情報検索部２０２ａの処理により検索された加工実績情報を端末装置１００へ送信する（ステップＳＡ７）。ここで、情報提供部２０２ｂは、ステップＳＡ６にて情報検索部２０２ａの処理によりデジタルモックアップ情報を検索した場合、当該デジタルモックアップ情報も端末装置１００へ送信してもよい。
【００４７】
そして、端末装置１００の情報取得部１０２ｂは、ステップＳＡ５にて情報提供部２０２ｂの処理により管理サーバ２００から送信される部品保管情報を受信する（ステップＳＡ８）。ここで、情報取得部１０２ｂは、上述のステップＳＡ４において対象の部品が保管エリアにないと判定された場合は、ステップＳＡ７にて情報提供部２０２ｂの処理により管理サーバ２００から送信される加工実績情報を受信する（ステップＳＡ８）。また、情報取得部１０２ｂは、ステップＳＡ５およびステップＳＡ７にて情報提供部２０２ｂの処理により送信されるデジタルモックアップ情報を受信してもよい。
【００４８】
そして、端末装置１００の制御部１０２は、ステップＳＡ８にて情報取得部１０２ｂにより取得された部品保管情報に基づいて、対象の部品が保管エリア内に保管されているか否かを示す保管エリア画面を生成する（ステップＳＡ９）。ここで、制御部１０２は、対象の部品が保管エリア内に保管されていない場合は、ステップＳＡ８にて情報取得部１０２ｂにより取得された加工実績情報に基づいて、対象の部品が加工されているか否かを更に示す保管エリア画面を生成してもよい。また、制御部１０２は、ステップＳＡ８にて情報取得部１０２ｂにより取得されたデジタルモックアップ情報に基づいて、当該デジタルモックアップ情報を更に含む保管エリア画面を生成してもよい。
【００４９】
ここで、図５を参照して、実施形態にかかる保管エリア画面の一例について説明する。図５では、ステップＳＡ８にて情報取得部１０２ｂが、部品保管情報、加工実績情報、および、デジタルモックアップ情報を受信した場合を一例に説明する。つまり、ステップＳＡ９にて制御部１０２は、部品保管情報、加工実績情報、および、デジタルモックアップ情報を含む、図５に示す保管エリア画面２０ａを生成する。
【００５０】
図５に示す保管エリア画面２０ａは、保管エリア（すなわち、部品保管棚）を模式的に表した３次元形状データである。保管エリア画面２０ａは、縦４列×横４行の各ブロックに区分けされた部品保管棚を表しており、左端から３列目まで部品が保管されており（図５の（ｉ）参照）、右端の列には部品が保管されていない状態を表している（図５の（ｉｉ）参照）。ここで、左側の縦３列×横４行に区分けされた領域（ｉ）（図５において、色付けされた領域）の各ブロックは、保管エリア内の部品が保管されている保管位置を表している。また、右端の縦１列×横４行に区分けされた領域（ｉｉ）（図５において、色づけされていない領域）の各ブロックは、保管エリア内の部品が保管されていない未保管位置を表している。
【００５１】
ここで、図５に示す保管エリア画面２０ａは、部品の数量または保管率を模式的に示す数量記号２１を含む。数量記号２１は、表示された保管位置に保管されている部品の数量が、対象のブロックに保管可能な最大数量のうち約半分（すなわち、保管率約５０％）であることを模式的に示している。また、保管エリア画面２０ａは、対象の部品が保管されている保管位置に、製番に必要な部品の形状を示すデジタルモックアップ情報２４、２５を含む。また、保管エリア画面２０ａは、対象の部品が保管されている保管位置を示す矢印記号２６を含む。また、保管エリア画面２０ａは、対象の部品が保管されるべき未保管位置に、加工実績情報等に基づき作成される未加工警告記号２７を含む。更に、保管エリア画面２０ａは、対象の部品が保管されるべき未保管位置に、当該部品の形状を示すデジタルモックアップ情報２４を含む。
【００５２】
再び図３に戻り、端末装置１００の情報表示部１０２ｃは、ステップＳＡ９にて制御部１０２により生成された保管エリア画面２０ａを、表示部１１４に表示させる（ステップＳＡ１０）。ここで、ステップＳＡ１０において、端末装置１００の制御部１０２は、保管エリア画面２０ａの表示とともに、例えば対象の部品が保管されている位置、加工状況、現在位置等を案内する音声データを、音声出力部１１６を介して出力してもよい。
【００５３】
このように、本実施形態によれば、図５に示すような保管エリア画面２０ａを表示することで、エレベータの製番に必要な部品を探す作業者の手間を省力化できる。例えば、本実施形態によれば、作業者は、製番に必要な部品を集めてエレベータのユニットを組立てる際、数量記号２１を含む保管エリア画面２０ａを確認することで、所望の部品の有無および数量を容易に確認することができる。また、作業者は、デジタルモックアップ情報２４および矢印記号２６を含む保管エリア画面２０ａを確認することで、所望の部品の形状および保管場所を容易に確認することができる。また、作業者は、未加工警告記号２７を含む保管エリア画面２０ａを確認することで、製番に必要な部品を集めてエレベータのユニットを組立てる際に部品が足りない場合は、当該部品の形状および保管されるべき場所を確認した上で、組立作業を中断することができる。また、作業者は、識別情報に基づいて容易に部品が保管されている保管エリアを特定することができる。
【００５４】
なお、上述の実施形態では、本実施形態にかかるエレベータ部品検索システムが、作業者が製番に必要な部品を集めてエレベータのユニットを組立てる際に、表示部１１４に保管エリア画面を表示させる例について説明したが、作業者が部品を保管エリアに保管する際に、表示部１１４に保管エリア画面を表示させてよい。
【００５５】
ここで、図６を参照して、実施形態にかかる保管エリア画面の別の一例について説明する。図６では、上述のステップＳＡ８にて情報取得部１０２ｂが、部品保管情報を受信した場合を一例に説明する。つまり、上述のステップＳＡ９にて制御部１０２は、部品保管情報を含む図６に示す保管エリア画面２０ｂを生成する。そして、上述のステップＳＡ１０にて情報表示部１０２ｃは、図６に示す保管エリア画面２０ｂを表示する。
【００５６】
図６に示す保管エリア画面２０ｂは、上述の図５に示す保管エリア画面２０ａと同様に、保管エリア（すなわち、部品保管棚）を模式的に表した３次元形状データである。保管エリア画面２０ｂは、縦４列×横４行の各ブロックに区分けされた部品保管棚を表しており、左端から３列目まで部品が保管されており（図６の（ｉ）参照）、右端の列には部品が保管されていない状態を表している（図６の（ｉｉ）参照）。ここで、左側の縦３列×横４行に区分けされた領域（ｉ）（図６において、色付けされた領域）の各ブロックは、保管エリア内の部品が保管されている保管位置を表している。また、右端の縦１列×横４行に区分けされた領域（ｉｉ）（図６において、色づけされていない領域）の各ブロックは、保管エリア内の部品が保管されていない未保管位置を表している。
【００５７】
ここで、図６に示す保管エリア画面２０ｂは、部品の数量または保管率を模式的に示す数量記号２１、２２、２３を含む。数量記号２１は、表示された保管位置に保管されている部品の数量が、対象のブロックに保管可能な最大数量のうち約半分（すなわち、保管率約５０％）であることを模式的に示している。数量記号２２は、表示された保管位置に保管されている部品の数量が少数（例えば、保管率約１０％）であることを模式的に示している。数量記号２３は、表示された保管位置に保管されている部品の数量が多数（例えば、保管率約９０％）であることを模式的に示している。更に、保管エリア画面２０ｂは、部品が保管されるべき位置を示す矢印記号２６を含む。
【００５８】
このように、本実施形態によれば、図６に示すような保管エリア画面２０ｂを表示することで、エレベータの膨大な部品群の管理を省力化できる。例えば、本実施形態によれば、作業者は、部品を保管エリア内に保管する際、数量記号２１、２２、２３および矢印記号２６を含む保管エリア画面２０ｂを確認することで、保管エリア内に保管された部品の有無および数量を確認でき、更に矢印にしたがって適切な位置に保管することができる。この場合、作業者は、対象の部品を保管エリアに保管後、保管エリア画面２０ｂ内に表示された矢印記号２６を選択することで、管理サーバ２００内の部品保管情報を更新することもできる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、上述の実施形態では、エレベータの部品を検索する例について説明したが、エスカレータの部品についても同様に本発明を適用できる。
【符号の説明】
【００６０】
１０  作業待ち製番リスト
２０ａ、２０ｂ  保管エリア画面
２１、２２、２３  数量記号
２４、２５  デジタルモックアップ情報
２６  矢印記号
２７  未加工警告記号
１００  端末装置
１０２  制御部
１０２ａ  検索要求部
１０２ｂ  情報取得部
１０２ｃ  情報表示部
１０２ｄ  現在位置情報取得部
１０４  通信制御インターフェース部
１０６  記憶部
１０８  入出力制御インターフェース部
１１２  位置取得部
１１４  表示部
１１６  音声出力部
１１８  入力部
１１９  識別情報読取部
２００  管理サーバ
２０２  制御部
２０２ａ  情報検索部
２０２ｂ  情報提供部
２０２ｃ  情報格納部
２０４  通信制御インターフェース部
２０６  記憶部
２０６ａ  製番部品情報データベース
２０６ｂ  部品保管情報データベース
２０６ｃ  加工実績情報データベース
３００  ネットワーク
５００  位置発信装置
【図１】
2013060249.tif 000003
【図２】
2013060249.tif 000004
【図３】
2013060249.tif 000005
【図４】
2013060249.tif 000006
【図５】
2013060249.tif 000007
【図６】
2013060249.tif 000008